(57)【要約】【課題】窒素除去装置において、被処理水のｐＨを検出し、そのｐＨを電解処理の制御に対して有効に利用する。【解決手段】窒素除去装置では、電解槽２０に電極対（電極３１，３２）と被処理水が導入され、被処理水の電解処理が行なわれる。窒素除去装置の制御回路には、当該被処理水についてのｐＨの許容範囲が電解時間に関連付けられて記憶されている。そして、制御回路は、電解処理の間、被処理水のｐＨが電解時間に応じた許容範囲内であるか否かを判断し、許容範囲外であると判断すると、電解を停止させ、電解槽２０内の被処理水を予備槽９０に送り、そして、異常事態が発生していることを報知する。【選択図】図１
2007152245.tif 000002
【特許請求の範囲】
【請求項１】
電極対と、
前記電極対と被処理水を収容する電解槽と、
前記電解槽内の被処理水のｐＨを検出するｐＨセンサと、
前記電解槽内の被処理水についてのｐＨ値を記憶する記憶手段と、
前記ｐＨセンサの検出出力と前記記憶手段に記憶されたｐＨ値とを比較することによって前記電解槽において異常事態が生じているか否かを判断する判断手段とを含む、窒素除去装置。
【請求項２】
前記判断手段によって異常事態が生じていると判断された場合に、前記電解槽に収容された被処理水を前記電解槽外へ排出する排出手段をさらに含む、請求項１に記載の窒素除去装置。
【請求項３】
前記記憶手段は、前記電解槽内の被処理水についてのｐＨの許容範囲を記憶し、
前記判断手段は、前記ｐＨセンサの検出出力が、前記記憶手段に記憶された許容範囲内ではなかった場合に、異常事態が生じていると判断する、請求項１または請求項２に記載の窒素除去装置。
【請求項４】
電極対と、
前記電極対と被処理水を収容する電解槽と、
前記電解槽内の被処理水のｐＨを検出する複数のｐＨセンサと、
前記電極対に対する電力の供給を前記複数のｐＨセンサの検出出力に基づいて制御する制御手段とを含む、窒素除去装置。
【請求項５】
前記制御手段は、前記複数のｐＨセンサが検出するｐＨ値の差が所定の値を超えた場合には、前記電極対への電力の供給を停止させる、請求項４に記載の窒素除去装置。
【請求項６】
複数の前記ｐＨセンサは、互いに種類が異なる、請求項４または請求項５に記載の窒素除去装置。
【発明の詳細な説明】
【技術分野】
【０００１】
本発明は、窒素除去装置に関し、特に、被処理水中に浸された電極対を用いた電解反応により被処理水中の窒素成分を窒素ガスにして除去する窒素除去装置に関する。
【背景技術】
【０００２】
従来から、河や湖の富栄養化の原因の一つに、窒素化合物の存在があることは周知である。そして、従来から、生活排水や工場排水に対して電解処理を施すことにより窒素化合物を効率よく除去する技術が、特許文献１等に開示されている。このような技術では、排水中のアンモニア、亜硝酸性窒素、硝酸性窒素などの窒素成分が電解により酸化または還元されて窒素ガスに分解されて、排水から除去される。
【０００３】
そして、特許文献１に開示された技術では、被処理水のｐＨに基づいて、電解において電極対に流される電流値が制御されていた。
【特許文献１】特開２００４−３４４８２０号公報
【発明の開示】
【発明が解決しようとする課題】
【０００４】
なお、上記のような窒素処理装置では、被処理水のｐＨが電解処理の制御に対してより有効に利用されることによって、電解処理がより好ましい態様で実行されることが切望されていた。
【０００５】
本発明は、かかる実情に鑑み考え出されたものであり、その目的は、窒素除去装置において、被処理水のｐＨを検出し、そのｐＨを電解処理の制御に対して従来よりも有効に利用することである。
【課題を解決するための手段】
【０００６】
本発明のある局面に従った窒素除去装置は、電極対と、前記電極対と被処理水を収容する電解槽と、前記電解槽内の被処理水のｐＨを検出するｐＨセンサと、前記電解槽内の被処理水についてのｐＨ値を記憶する記憶手段と、前記ｐＨセンサの検出出力と前記記憶手段に記憶されたｐＨ値とを比較することによって前記電解槽において異常事態が生じているか否かを判断する判断手段とを含むことを特徴とする。
【０００７】
また、本発明に従った窒素除去装置は、前記判断手段によって異常事態が生じていると判断された場合に、前記電解槽に収容された被処理水を前記電解槽外へ排出する排出手段をさらに含むことが好ましい。
【０００８】
また、本発明に従った窒素除去装置では、前記記憶手段は、前記電解槽内の被処理水についてのｐＨの許容範囲を記憶し、前記判断手段は、前記ｐＨセンサの検出出力が、前記記憶手段に記憶された許容範囲内ではなかった場合に、異常事態が生じていると判断することが好ましい。
【０００９】
本発明の他の局面に従った窒素除去装置は、電極対と、前記電極対と被処理水を収容する電解槽と、前記電解槽内の被処理水のｐＨを検出する複数のｐＨセンサと、前記電極対に対する電力の供給を前記複数のｐＨセンサの検出出力に基づいて制御する制御手段とを含むことを特徴とする。
【００１０】
また、本発明に従った窒素除去装置では、前記制御手段は、前記複数のｐＨセンサが検出するｐＨ値の差が所定の値を超えた場合には、前記電極対への電力の供給を停止させることが好ましい。
【００１１】
また、本発明に従った窒素除去装置では、複数の前記ｐＨセンサは、互いに種類が異なることが好ましい。
【発明の効果】
【００１２】
本発明によると、窒素除去装置において、ｐＨセンサによって検出された被処理水のｐＨが記憶手段に予め記憶されたｐＨ値と比較されることにより、異常事態が生じているか否かが判断される。
【００１３】
これにより、窒素除去装置における被処理水のｐＨの挙動に異常がある場合、窒素除去装置の管理者はそのことを認識することができる。したがって、窒素除去装置においてｐＨセンサの検出するｐＨ値が、電極対に流す電流値の制御以外にも有効に利用されることになる。
【００１４】
また、本発明によると、窒素除去装置において、ｐＨセンサが複数設けられ、制御手段は、これらのｐＨセンサの検出出力に基づいて電極対への電力の供給を制御できる。
【００１５】
これにより、従来はｐＨセンサが誤動作する等の事態が生じてもそのことを認識することが困難であったのに対し、複数のｐＨセンサの検出出力の比較等を行なうことにより認識することができる。このため、ｐＨセンサの検出出力の信頼度を高めることができ、したがって、当該検出出力が制御手段による制御動作において有効に利用されるようになる。
【発明を実施するための最良の形態】
【００１６】
［第１の実施の形態］
図１に、本発明の第１の実施の形態である窒素除去装置の構成を模式的に示す。
【００１７】
窒素除去装置は、電解槽２０および酸タンク４０を主に含む。
電解槽２０では、被処理水がポンプ５１およびバルブ５２を介して導入される。また、電解槽２０では、電極３１，３２からなる電極対が被処理水に浸されている。電極３１，３２の中で、カソード電極とされる方は、周期律表のＩｂ族またはＩＩｂ族の金属からなることが好ましい。なお、当該電極対へは、電源３０から直流の電力が供給される。
【００１８】
電解槽２０には、ポンプ７０を含む循環経路が接続されている。そして、当該循環経路上には、電解槽２０内の被処理水のｐＨを検出するｐＨセンサ７１が設置されている。当該循環経路では、電解槽２０内の被処理水が、ポンプ７０によってｐＨセンサ７１に送られた後、電解槽２０に戻される。
【００１９】
また、電解槽２０の底面には被処理水を排出するための排出口が形成されており、当該排出口は電磁弁２１によって開閉が可能に構成されている。本実施の形態の窒素除去装置では、電磁弁２１を適宜開状態として、電解槽２０内の被処理水を予備槽９０に移動させることができる。これにより、電解槽２０に電極対を溶解させるような強酸または強塩基の溶液が導入された場合には、速やかに、そのような溶液を予備槽９０に移動させることができる。また、電解槽２０は、電磁弁２２を介して、電解処理後の被処理水を導入するための槽と接続されている。なお、電磁弁２１，２２は、常時は閉じられている。
【００２０】
電解槽２０は、ポンプ４１を介して酸性の溶液（希塩酸等）を貯留する酸タンク４０と接続されている。窒素除去装置では、電解槽２０内のｐＨが所定の値よりも高い場合には、ポンプ４１が適宜駆動されることにより酸タンク４０内の溶液が電解槽２０に導入されても良い。
【００２１】
図２に、本実施の形態の窒素除去装置の制御ブロック図を示す。
図２を参照して、窒素除去装置は、当該窒素除去装置の動作を全体的に制御する制御回路１０を含む。制御回路１０は、データベース１１を備えている。
【００２２】
また、窒素除去装置は、外部からの情報の入力を受付ける入力部１２と外部に対して情報を出力する出力部１３を含む。出力部１３は、情報を表示するモニタや音声を出力するスピーカを含む。
【００２３】
制御回路１０は、ｐＨセンサ７１の検出出力と入力部１２に入力された情報を入力される。そして、制御回路１０は、電磁弁２１，２２の開閉を制御し、電源３０に対して電極対への電力の供給態様を制御し、ポンプ５１，４１，７０の動作を制御し、そして、出力部１３に対して情報の出力態様を制御する。
【００２４】
ここで、電解槽２０における電解処理について説明する。
電極対に電力が供給されると、アノード電極近傍では、式（１）〜（３）に示すように、水の電気分解により酸素ガスが発生し、排水中の塩化物イオンは塩素ガスとなり、塩素ガスの一部は水和して次亜塩素酸となる。
【００２５】
２Ｈ２Ｏ  ⇔  Ｏ２↑＋４Ｈ＋＋４ｅ−  （１）
２Ｃｌ−  ⇔  Ｃｌ２↑＋２ｅ−  （２）
Ｃｌ２＋Ｈ２Ｏ  ⇔  Ｈ＋＋Ｃｌ−＋ＨＣｌＯ  （３）
一方、カソード電極近傍では、式（４）に示すように、水の電気分解により水素ガスが発生する。
【００２６】
２Ｈ２Ｏ＋２ｅ−  ⇔  Ｈ２↑＋２ＯＨ−  （４）
電解槽２０内に導入された被処理水中の硝酸イオンは、カソード電極表面で、亜硝酸イオンを経て（式（５）参照）、アンモニアに還元される（式（６）参照）。
【００２７】
ＮＯ３−＋Ｈ２Ｏ＋２ｅ−  ⇔  ＮＯ２−＋２ＯＨ−  （５）
ＮＯ２−＋５Ｈ２Ｏ＋６ｅ−  ⇔  ＮＨ３＋７ＯＨ−  （６）
そして、上記の式（３）に従って生じた次亜塩素酸と、上記の式（６）に従って生じたアンモニアとが、次に示す式（７）に従って反応することにより、窒素ガスが生じる。
【００２８】
2/3ＮＨ３＋ＨＣｌＯ  →  1/3Ｎ２↑＋ＨＣｌ＋Ｈ２Ｏ  （７）
電解槽２０にアンモニアを含む排水（被処理水）が導入されて電解処理が実行されると、式（７）から理解されるように、アンモニアが除去されるため被処理水のｐＨはしばらく低下すると考えられる。そして、被処理水中のアンモニアの除去が完了すると、式（７）の反応が起こらず、式（７）の反応による塩酸の生成が無くなるため、ｐＨが上昇すると考えられる。このような理想的な挙動を図３に実線で示す。
【００２９】
図３では、電解時間に対する被処理水のｐＨの理想的な挙動が実線で示されている。なお、理想的な挙動では、電解開始時にはｐＨは１０程度であり、電解時間が５分の時点ではｐＨは８程度、電解時間が１０分の時点ではｐＨは７程度、そして、電解時間が１５分の時点ではｐＨは再び８程度となっている。
【００３０】
図３中で破線で示された領域は、被処理水のｐＨの許容範囲である。データベース１１には、表１に示されるように、電解時間に関連付けられて、被処理水のｐＨの許容範囲が記憶されている。
【００３１】
【表１】
2007152245.tif 000003
【００３２】
なお、ｐＨの許容範囲は、すべてのｐＨ領域においてその幅が０．４とされているが、許容範囲の幅はｐＨが７に近づくほど広くされ、ｐＨが７から遠くなるほど（強酸または強塩基に対応する値になるほど）狭くされても良い。
【００３３】
図４は、制御回路１０が電解槽２０における電解処理を制御するために実行する処理のフローチャートである。以下に、この処理の内容について説明する。
【００３４】
図４を参照して、制御回路１０は、まず、ステップＳＡ１０において、ポンプ５１を所定時間駆動させることにより電解槽２０に適量の被処理水を導入する。
【００３５】
次に、ステップＳＡ２０において、制御回路１０は、電源３０に対して電極対に電力を供給させる。これにより、電解槽２０における電解処理が開始される。
【００３６】
次に、ステップＳＡ３０において、制御回路１０は、この処理で利用される変数ｉを０に設定して、ステップＳＡ４０に処理を進める。なお、変数ｉの設定値は、制御回路１０内の記憶装置に記憶されている。
【００３７】
ステップＳＡ４０では、制御回路１０は、ｐＨセンサ７１のその時点での検出値をｐＨｉとして制御回路１００内の記憶装置に記憶する。
【００３８】
次に、ステップＳＡ５０で、制御回路１０は、ｐＨｉが、ｐＨｉｍｉｎとｐＨｉｍａｘの間の値となっているかを判断する。なお、ｐＨｉｍｉｎは、電解時間ｉにおける表１に示した許容範囲の下限値であり、ｐＨｉｍａｘは当該許容範囲の上限値である。つまり、ステップＳＡ５０では、その時点での被処理水のｐＨが、その時点に対応した電解時間についての許容範囲内であるか否かが判断される。そして、制御回路１０は、許容範囲内であると判断するとステップＳＡ６０に処理を進め、許容範囲外であると判断するとステップＳＡ１１０に処理を進める。
【００３９】
ステップＳＡ１１０では、制御回路１０は、電源３０に電極対への電力の供給を停止させ、そして、出力部１３に音声の出力および／または情報の表示によって異常を報知させる。
【００４０】
次に、制御回路１０は、ステップＳＡ１２０で、電磁弁２１を開状態として、電解槽２０内の被処理水を予備槽９０へと排水する。
【００４１】
そして、ステップＳＡ１３０で、制御回路１０は、異常報知を解除する条件が成立したか否かを判断する。異常報知を解除させる条件とは、たとえば、外部から、入力部１２に対して異常事態の発生を認識した旨の情報を入力されたことが挙げられる。そして、当該条件が成立したと判断すると、処理が終了される。
【００４２】
一方、ステップＳＡ６０では、制御回路１０は、電解を終了させる条件が成立したか否かを判断する。電解を終了させる条件としては、たとえば、ステップＳＡ２０の処理により電解が開始されてから予め定められた時間が経過したことが挙げられる。そして、制御回路１０は、電解を終了させる条件が成立したと判断するとステップＳＡ９０へ、まだ成立していないと判断するとステップＳＡ７０へ、それぞれ処理を進める。
【００４３】
ステップＳＡ７０では、前回変数ｉの設定を行なってから１分が経過したか否かを判断し、経過したと判断するとステップＳＡ８０で変数ｉを１加算更新してステップＳＡ４０に処理を戻す。
【００４４】
一方、制御回路１０は、ステップＳＡ９０では、電源３０に電極対への電力を供給を停止させる。そして、ステップＳＡ１００で、制御回路１０は電磁弁２２を開状態として電解槽２０内の被処理水を適宜別の槽に向けて排水し、処理を終了させる。
【００４５】
以上説明した本実施の形態では、電解槽２０に電極対と被処理水が導入され、被処理水の電解処理が行なわれる。なお、制御回路１０のデータベースには、当該被処理水についてのｐＨの許容範囲が電解時間に関連付けられて記憶されている。そして、制御回路１０は、電解処理の間、被処理水のｐＨが電解時間に応じた許容範囲内であるか否かを判断し、許容範囲外であると判断すると、電解を停止させ、電解槽２０内の被処理水を予備槽９０に送り、そして、異常事態が発生していることを報知する。
【００４６】
なお、以上説明した本実施の形態では、データベースに記憶させるｐＨの許容範囲として、図３に示されたように、アンモニアを含む被処理水が電解槽２０に導入された場合の許容範囲が記憶されていた。
【００４７】
一方、電解槽２０に亜硝酸イオンおよび／または硝酸イオンを含む被処理水が導入された場合であっても、本発明は適用可能である。このような被処理水が導入された場合の、電解槽２０におけるｐＨの理想的な挙動を図５に実線で示す。図５から理解されるように、亜硝酸イオンおよび／または硝酸イオンを含む被処理水が電解槽２０に導入された場合には、酸が除去されるため、電解が進むにつれて被処理水のｐＨは上昇すると考えられる。
【００４８】
なお、このような場合も、データベース１１には、破線で示されたｐＨの許容範囲が反応時間に関連付けられて記憶され、電解処理の際に利用される。
【００４９】
また、データベースには、図３を用いて説明したようなアンモニアを含む被処理水が導入された場合のｐＨの許容範囲と、図５を用いて説明したような亜硝酸イオンおよび／または硝酸イオンを含む被処理水が導入された場合のｐＨの許容範囲の双方が記憶されていても良い。そして、制御回路１０は、電解槽２０に被処理水を導入させる際に、入力部１２に対してどちらの被処理水が導入されるかについて情報が入力されたか等に基づいて、制御に利用する許容範囲のデータを選択しても良い。
【００５０】
［第２の実施の形態］
図６に、本発明の第２の実施の形態である窒素除去装置の構成を模式的に示す。
【００５１】
窒素除去装置は、電解槽２０および酸タンク４０を主に含み、電解槽２０には、被処理水がポンプ５１およびバルブ５２を介して導入される。また、電解槽２０には、電極３１，３２からなる電極対が被処理水に浸されている。当該電極対へは、電源３０から直流の電力が供給される。
【００５２】
電解槽２０には、ポンプ７０を含む循環経路が接続されている。そして、当該経路上には、電解槽２０内の被処理のｐＨを検出するｐＨセンサ７１，７２が設置されている。当該循環経路では、電解槽２０内の被処理水が、ポンプ７０によってｐＨセンサ７１およびｐＨセンサ７１に送られた後、電解槽２０に戻される。
【００５３】
ｐＨセンサ７１，７２は、直列に接続されても良いが、図６に示されたように並列に接続されている方が好ましい。このように接続されることにより、これらのｐＨセンサが被処理水の流れに対して同様の位置（電解槽２０からの流路の長さが同様の位置）に設置されるようになるため、同様の状況にある被処理水のｐＨを検出すると考えられるからである。つまり、本実施の形態の窒素除去装置において、同様の状況にある被処理水のｐＨを複数のｐＨセンサで検出させることができ、これにより、当該複数のｐＨセンサのｐＨセンサの検出値を比較することによりいずれかに異常が発生していることを確実に検知できる。このことから、複数のｐＨセンサが直接に設置される場合には、これらのｐＨセンサが近い状況の被処理水のｐＨを検出できるように、なるべく近い位置に設置されることが好ましい。
【００５４】
電解槽２０の底面には被処理水を排出するための排出口が形成されており、当該排出口は電磁弁２２によって開閉が可能に構成されている。電磁弁２２は、常時は閉じられている。
【００５５】
電解槽２０は、ポンプ４１を介して酸性の溶液（希塩酸等）を貯留する酸タンク４０と接続されている。窒素除去装置では、電解槽２０内のｐＨが所定の値よりも高い場合には、ポンプ４１が適宜駆動されることにより酸タンク４０内の溶液が電解槽２０に導入されても良い。
【００５６】
図７に、本実施の形態の窒素除去装置の制御ブロック図を示す。
図７を参照して、窒素除去装置は、当該窒素除去装置の動作を全体的に制御する制御回路１０を含む。制御回路１０は、データベース１１を備えている。また、窒素除去装置は、外部からの情報の入力を受付ける入力部１２と外部に対して情報を出力する出力部１３を含む。出力部１３は、情報を表示するモニタや音声を出力するスピーカを含む。
【００５７】
制御回路１０は、ｐＨセンサ７１，７２の検出出力と入力部１２に入力された情報を入力される。そして、制御回路１０は、電磁弁２２の開閉を制御し、電源３０に対して電極対への電力の供給態様を制御し、ポンプ５１，４１，７０の動作を制御し、そして、出力部１３に対して情報の出力態様を制御する。
【００５８】
図８に、本実施の形態の窒素除去装置において、制御回路１０が電解槽２０における電解処理を制御するために実行する処理のフローチャートを示す。
【００５９】
図８を参照して、制御回路１０は、ステップＳＢ１０で、ポンプ５１を所定時間駆動させることにより電解槽２０に適量の被処理水を導入する。
【００６０】
次に、ステップＳＢ２０において、制御回路１０は、電源３０に対して電極対に電力を供給させる。これにより、電解槽２０における電解処理が開始される。
【００６１】
次に、ステップＳＢ３０において、制御回路１０は、ステップＳＢ２０で電解処理が開始されてから予め定められた電解のための時間が経過したか否かを判断する。経過したと判断すれば、電源３０に電極対への電力の供給を停止させて処理を終了させる。一方、まだ経過していないと判断すると、制御回路１０はステップＳＢ４０に処理を進める。
【００６２】
ステップＳＢ４０では、制御回路１０は、その時点でのｐＨセンサ７１のｐＨの検出値をｐＨ１として記憶する。
【００６３】
次に、ステップＳＢ５０では、制御回路１０は、その時点でのｐＨセンサ７２のｐＨの検出値をｐＨ２として記憶する。
【００６４】
そして、制御回路１０は、ステップＳＢ６０で、ｐＨ１とｐＨ２の差が２を越えているか否かを判断する。そして、制御回路１０は、差が２を越えていると判断すると、ステップＳＢ７０に処理を進め、差が２以下であると判断すると、ステップＳＢ１２０に処理を進める。
【００６５】
ステップＳＢ１２０では、制御回路１０は、出力部１３に音声の出力および／または情報の表示によって異常を報知させる。
【００６６】
次に、制御回路１０は、ステップＳＢ１３０で、電源３０に電極対への電力の供給を停止させて、電解を停止させる。
【００６７】
次に、制御回路１０は、ステップＳＢ１４０で、電磁弁２２を開状態として、電解槽２０から被処理水を排出する。
【００６８】
そして、ステップＳＢ１５０で、制御回路１０は、異常報知を解除する条件が成立したか否かを判断する。異常報知を解除させる条件とは、たとえば、外部から、入力部１２に対して異常事態の発生を認識した旨の情報を入力されたことが挙げられる。そして、当該条件が成立したと判断すると、処理が終了される。
【００６９】
一方、ステップＳＢ７０では、制御回路１０は、酸注入用のポンプ４１が駆動中であるか否かを判断し、駆動中であると判断するとステップＳＢ１００へ、駆動中ではないと判断するとステップＳＢ８０へ、それぞれ処理を進める。
【００７０】
ステップＳＢ８０では、制御回路１０は、ｐＨ１が８．５を越えているか否かを判断し、越えていると判断すれば、ステップＳＢ９０でポンプ４１を駆動させて、ステップＳＢ１００に処理を進める。一方、ステップＳＢ８０で、ｐＨ１が８．５以下であると判断すると、制御回路１０は、そのまま処理をステップＳＢ３０に戻す。
【００７１】
ステップＳＢ１００では、制御回路１００は、ｐＨ１が７．５未満であるか否かを判断し、そうであると判断すればステップＳＢ１１０でポンプ４１の駆動を停止させてステップＳＢ３０に処理を戻す。一方、ステップＳＢ１００でｐＨ１が７．５以上であると判断すると、制御回路１００は、そのまま処理をステップＳＢ３０に戻す。
【００７２】
以上説明した本実施の形態では、制御回路１０は、被処理水のｐＨを複数のｐＨセンサで検出し、それらのセンサの検出したｐＨ値の差が所定の値を越える場合には、異常を報知し、電解槽２０における電解を終了させる。
【００７３】
なお、本実施の形態では、２個のｐＨセンサが制御に利用されたが、個数はこれに限定されない。そして、３個以上のｐＨセンサが利用された場合には、ステップＳＢ６０では、たとえば、複数のｐＨセンサから２個を取り出すすべての組み合わせについてｐＨ値の差を求め、その差の最大値が２を越えたか否かが判断される。
【００７４】
また、複数のｐＨセンサは、互いに種類が異なることが好ましい。窒素除去装置に設置された複数のｐＨセンサの種類が互いに異なれば、当該複数のｐＨセンサにおいて同時に異常が生じる事態を極力回避できる。窒素除去装置が、複数のｐＨセンサの中の或る種類のｐＨセンサに異常が生じるような状況となった場合でも、同じ状況が他の種類のｐＨセンサにとっては異常が生じるような状況ではない場合が考えられるからである。この場合の状況とは、たとえば、窒素除去装置に強酸性や強アルカリ性の被処理水が導入される状況が考えられる。なお、ｐＨセンサの「種類が異なる」とは、たとえば、製品のメーカが異なる場合であったり、同じメーカの製品であれば型番が異なる場合であったり、または、測定原理（ガラス電極式、半導体式、等）が異なる場合であることが考えられる。
【００７５】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、可能な限り組み合わせて実施されることができると考えられる。
【図面の簡単な説明】
【００７６】
【図１】本発明の第１の実施の形態である窒素除去装置の構成を模式的に示す図である。
【図２】図１の窒素除去装置の制御ブロック図である。
【図３】図１の窒素除去装置における被処理水のｐＨの理想的な挙動の一例を示す図である。
【図４】図１の窒素除去装置において、制御回路が電解槽における電解処理を制御するために実行する処理のフローチャートである。
【図５】図１の窒素除去装置における被処理水のｐＨの理想的な挙動の他の例を示す図である。
【図６】本発明の第２の実施の形態である窒素除去装置の構成を模式的に示す図である。
【図７】図６の窒素除去装置の制御ブロック図である。
【図８】図６の窒素除去装置において、制御回路が電解槽における電解処理を制御するために実行する処理のフローチャートである。
【符号の説明】
【００７７】
１０  制御回路、１１  データベース、１２  入力部、１３  出力部、２０  電解槽、２１，２２  電磁弁、３０  電源、３１，３２  電極、４０  酸タンク、４１，５１，７０  ポンプ、９０  予備槽。
【図１】
2007152245.tif 000004
【図２】
2007152245.tif 000005
【図３】
2007152245.tif 000006
【図４】
2007152245.tif 000007
【図５】
2007152245.tif 000008
【図６】
2007152245.tif 000009
【図７】
2007152245.tif 000010
【図８】
2007152245.tif 000011